(57)【特許請求の範囲】
【請求項１】
封入部と封接部とからなる所定枚数のトレーディングカードを封入したトレーディングカード封入袋を、重ね合わせた厚紙間に複数収納したトレーディングカード封入袋用収納体であって、
厚紙の少なくとも一方には前記封入部と略同一寸法の孔が設けられ、
前記厚紙の内側には前記孔を覆う軟性のある透明シート層が設けられ、
前記封入部が前記孔に位置し、
前記封入部が前記シートに覆われ、
前記封接部が厚紙間に挟まれて収納されてなる
ことを特徴とするトレーディングカード用収納体。
【請求項２】
前記トレーディングカード収納体の孔の間の枠の少なくとも１つが折り曲げ可能であることを特徴とするトレーディングカード用収納体。
【請求項３】
請求項１〜２のいずれかひとつに記載のトレーディングカード収納体を冊子体に添付してなり、
前記折り曲げ可能な枠が前記冊子体の小口に平行である
ことを特徴とするトレーディングカードを添付した冊子体。
【発明の詳細な説明】
【０００１】
【発明の属する技術分野】
本発明は、所定枚数のトレーディングカードを封入した包装袋の複数を冊子体（例えば本、書籍、雑誌、小冊子等）に添付可能とする保護部材及びこれによりトレーディングカードを添付した冊子体に関する。
【０００２】
【従来の技術】
近年、スポーツ選手の写真や有名イラストレーターのイラスト等をカードとして、このカード（１つの商品で通常数十種類以上ある）のうちの数種類を非透明性の袋に封入して販売し、購入者が自分の集めたいカードがある場合は購入者同士でカード交換しあうように仕向けたいわゆるトレーディングカードと呼ばれるものの人気が増大している。
【０００３】
これらトレーディングカードを冊子体に添付したものとしては、小封筒などに特別なカードを封入して冊子体に綴じ込んだものなどが知られている。しかしながら、雑誌等の場合、店頭において冊子体からカード入りの小封筒のみを抜き取るような万引き行為が問題となっている。
【０００４】
また、このような小封筒に複数のカードを封入しようとすると、冊子体を積み重ねて搬送する際の圧力の影響で損傷が発生しやすい。たとえば数枚重ねたものの上の一枚がずれて重なっていたりすると圧力がかかってずれた部分が折れたりする問題が発生する。特にこれら交換を前提としたトレーディングカードにおいては僅かなキズであっても大きな問題となるものである。
【０００５】
一方、冊子体にフロッピーディスクやコンパクトディスク等の記録媒体を冊子体に綴じ込む為に、厚紙を重ねた間にこれら記録媒体を収納したものが多く知られている。これらの記録媒体の綴じ込み方法を、トレーディングカードの通常形態として用いている所定枚数を封入したトレーディングカード封入袋に適用することが考えられる。このような記録媒体の収納体の一例を図２に示す。図２の（ａ）に平面図、図２（ｂ）に平面図上の上下点線での断面の構造を示す。
【０００６】
しかしながら、このような厚紙の収納体８は、綴じ込む記録媒体９より一回り小さい孔１０を設け、記録媒体が見えるが取り出せないような構造となっている。しかしながら、このような孔による収納をトレーディングカード封入袋に対して行うと、収納体表面に圧力がかかった際に、封入されたトレーディングカードの最初の一枚目に孔の枠部がへこむ傷が発生する可能性がある。
【０００７】
またこれらの収納体を冊子体に綴じた場合、厚紙部分が曲がらない為、読者が複数頁からなる冊子体（特に書籍・雑誌等）を手にとって読む時に問題となる。つまり、手にとって読む際は、頁は雑誌の背部を中心に左右になだらかな山型になる。収納体が曲がらないか一方向にしか曲がらない場合、読みやすい頁と、頁が突っ張ってなだらかに曲がらない為読みにくい頁とが生じる。特にトレーディングカード封入袋を複数収納した収納体を綴じ込んだ場合に問題となる。
【０００８】
【発明が解決しようとする課題】
本発明はこのような問題点を解決するためになされたものであり、その課題とするところは、所定枚数のトレーディングカードを封入したトレーディングカード封入袋を複数収納可能であり、かつトレーディングカードに傷等のつくことのないトレーディングカード用収納体及びトレーディングカードを添付した冊子体を提供することにある。
【０００９】
【課題を解決するための手段】
以上の問題点を解決するため、本発明の請求項１に記載の発明は、封入部と封接部とからなる所定枚数のトレーディングカードを封入したトレーディングカード封入袋を、重ね合わせた厚紙間に複数収納したトレーディングカード封入袋用収納体であって、厚紙の少なくとも一方には前記封入部と略同一寸法の孔が設けられ、前記厚紙の内側には前記孔を覆う軟性のある透明シート層が設けられ、前記封入部が前記孔に位置し、前記封入部が前記シートに覆われ、前記封接部が厚紙間に挟まれて収納されてなることを特徴とするトレーディングカード用収納体である。
【００１０】
本発明はこの手段により、封入袋の封入部が前記孔に位置するため、収納体表面に圧力がかかっても、トレーディングカードに傷がつくことがないトレーディングカード用収納体を提供可能とする。
【００１１】
また、封入袋の封接部が厚紙間に挟まれて収納されてなるため、本発明のトレーディングカード用収納体からトレーディングカード封入袋を取り出すことが困難なものとすることを可能としている。
【００１３】
さらに、この手段により、封入部が透明シート層により覆われている為、トレーディングカード用収納体からトレーディングカード封入袋を取り出すことが困難なものとすることを可能としている。
【００１４】
また、請求項２記載の発明は、前記トレーディングカード収納体の孔の間の枠の少なくとも１つが折り曲げ可能であることを特徴とするトレーディングカード用収納体である。
【００１５】
本発明はこの手段により、枠が折り曲げ可能であることにより、冊子体に綴じた場合、複数のトレーディングカード収納体間の厚紙部分が曲がり、複数頁からなる冊子体（特に書籍・雑誌等）を手にとって読む時に読む際、頁が両方向になだらかに山型になり、収納体のため突っ張ってなだらかな山型にならない頁が生じない。また、トレーディングカード収納体を添付する位置（冊子体での頁位置、頁内での添付位置）も制限不要（デザイン等に合わせた自由位置）となる。
【００１６】
また請求項３記載の発明は、請求項１〜２のいずれか記載のトレーディングカード収納体を冊子体に添付してなり、前記折り曲げ可能な枠が前記冊子体の小口に平行であることを特徴とするトレーディングカードを添付した冊子である。
【００１７】
本発明はこの手段により、上記構造のトレーディングカード収納体を添付したので冊子体を読む時、該収納体が２方向（雑誌等が左右に開く場合は左右方向）になだらかに山型になり、収納体のため突っ張ってなだらかな山型にならない頁が生じない。よって、どの頁も読みにくいということがない。
【００１８】
【発明の実施の形態】
以下に、本発明の実施の形態を図面を用いて詳細に説明する。図１に本発明のトレーディングカード収納体の一実施の形態を示す。図１（ａ）に平面図、図１（ｂ）に平面図上の上下点線での断面の構造を示し、図１（ｃ）に平面図上の左右点線での断面の構造を示す。
トレーディングカード３はトレーディングカード封入袋２に封入され、トレーディングカード収納体１に収納されている。トレーディングカード封入袋は厚みのあるトレーディングカードの封入部と封接部とからなる。トレーディングカード収納部の一方に複数の孔６が設けられ、孔の間にすじを設けて厚紙を１層のみとし、この枠を折り曲げ可能とした枠７としている。
【００１９】
本発明におけるトレーディングカード収納体１としては、複数の厚紙を重ね合わせてなるものが好適に用いられ、コートボール、ノーコートボール、黄ボール、特光黄ボール、チップボールやそれら２〜３枚の合紙およびこれらの表面に印刷を施した薄紙を積層したものなどが適用可能であるが、特にこれらに限定されるものではなく、適宜厚みを有し、冊子体に添付可能なものであれば使用可能である。
【００２０】
本発明におけるトレーディングカード封入袋２としては、アルミ等の非透明性素材よりなる袋であって、所定枚数のトレーディングカードを封入してなるものである。袋の綴じ方としては、楕円円筒状の非透明性素材の上下端を熱圧着等で封接してなるものが封入部４の左右に封接部５がなく好適である。前記封接により設けられた封接部５には、開封の為の切欠きや、上部中央に展示の為の孔などを適宜設けることが可能である。
【００２１】
本発明における孔２としては、複数積層したトレーディングカード収納体の厚紙の一部に貫通孔を設けることで設置可能となる。孔の深さとしては、前記トレーディングカード封入部の厚みより若干厚くすることで、積層した際にトレーディングカード封入部が外圧を受けることがなく、好ましいものとなる。
【００２２】
本発明における折り曲げ可能となる枠７としては、複数積層したトレーディングカード収納体の厚紙の一部に切り欠きを設けることで設置可能となる。または厚紙の一方から切り込みを入れたものであっても良い。折り曲げ可能となる方向としては特に限定しないが、孔を一面のみ設けたものであるならば、内面に向かって折れた場合は厚みをもったトレーディングカード封入部同士が折れることでその角が接触して圧を受けるので好適ではなく、外面に向かって折れる方が好ましい。
【００２３】
図３に本発明のトレーディングカード収納体の他の実施例とこれを冊子体１２に添付した場合の構造を示す。この際、厚紙間に孔を覆う透明シート層１１を設けてなる。前記シート層は孔の部分ではトレーディングカード封入袋をも覆うように孔表面を覆うものとなる。
【００２４】
本発明における透明シート層としては、図３のように厚紙間に設けたものであっても良いし、複数のトレーディングカード封入袋をセットする前にこれらを位置を決めて封じた袋であっても良い。又は単に孔を設けた厚紙面を表面から覆うものであっても良い。材質としては厚紙間に設ける場合は軟性のある透明素材であれば特に限定されず、また熱圧着性のあるものなどが好ましいが特にこれらに限定されず、使用可能となる。
【００２５】
図３のトレーディングカード収納体は、図１では並列して設けた孔をさらに上下に設けて、４つのトレーディングカード封入袋を収納可能としたものである。この際、厚紙間に挟まれた上下のトレーディングカード封接部は一部重なりあって挟んだものであっても良い。
【００２６】
【実施例】
厚さ約２ｍｍの合紙したボール紙を用いて、図１に示すトレーディングカード収納体を製造した。トレーディングカードの寸法は６０ｍｍ×８７ｍｍで、これが６枚封入されている封入袋の寸法は６８ｍｍ×１３９ｍｍで上部２５ｍｍ下部８ｍｍが封接部である。とレディングカード収納体の孔のサイズは７０ｍｍ×１０８ｍｍで中央に１２ｍｍの枠部を有して２つ設けられている。切欠きは約５ｍｍとした。このように製造したトレーディングカード収納体を冊子体に、孔を設けた側の裏側の端部の部分に糊を着けて貼着した。また、収納体の枠部に、内容物に関する名称や種別・類別等を印刷し、トレーディングカードの宣伝に有効な情報を付加した。本を綴じて重ねた状態では、トレーディングカード収納体に圧がかからず水平となり、積み重ね具合も良好であった。本を手に取って開くと切り欠きで包装部材が左右に曲がるので読みにくくならなかった。
【００２７】
【発明の効果】
以上に示したように、本発明の請求項１記載の発明により、封入袋の封入部が前記孔に位置するため、収納体表面に圧力がかかっても、トレーディングカードに傷がつくことがないトレーディングカード用収納体を提供可能とするという作用効果を奏する。
【００２８】
また、孔が透明シート層により覆われている為、トレーディングカード用収納体からトレーディングカード封入袋を取り出すことが困難なものとすることを可能としているという作用効果を奏する。
【００２９】
また、請求項２記載の発明により、枠が折り曲げ可能であることにより、冊子体に綴じた場合、複数のトレーディングカード収納体間の厚紙部分が曲がり、複数頁からなる冊子体（特に書籍・雑誌等）を手にとって読む時に読む際、頁が両方向になだらかに山型になり、収納体のため突っ張ってなだらかな山型にならない頁が生じない。また、トレーディングカード収納体を添付する位置（冊子体での頁位置、頁内での添付位置）も制限不要（デザイン等に合わせた自由位置）となるという作用効果を奏する。
【００３０】
また、請求項３記載の発明により、上記構造のトレーディングカード収納体を添付したので冊子体を読む時、該収納体が２方向（雑誌等が左右に開く場合は左右方向）になだらかに山型になり、収納体のため突っ張ってなだらかな山型にならない頁が生じない。よって、どの頁も読みにくいということがないという作用効果を奏する。
【図面の簡単な説明】
【図１】本発明のトレーディングカード収納体の一実施の形態を示す説明図である。
【図２】従来の、厚紙を重ねた間に記録媒体を収納した収納体の一例を示す説明図である。
【図３】本発明のトレーディングカード収納体の他の実施の形態と、それを冊子体に添付した状態を示す説明図である。
【符号の説明】
１…トレーディングカード収納体
２…トレーディングカード封入袋
３…トレーディングカード
４…封入部
５…封接部
６…孔
７…枠
８…厚紙の収納体
９…記録媒体
１０…記録媒体の孔
１１…孔を覆う透明シート層
１２…冊子体
【図１】
0003951561.tif 000002
【図２】
0003951561.tif 000003
【図３】
0003951561.tif 000004